(57)【要約】【課題】  撮影した画像を効率的に地図上に表示する。【解決手段】  撮像手段と、前記撮像手段により得られた画像データと前記画像データの撮影場所を示す位置情報とを記録媒体に記録する記録手段と、前記位置情報に基づいて前記記録媒体に記録された複数の画像データをグループ化し、前記グループ毎に地図画像上の対応する位置に前記画像データを表示するための制御情報を生成する制御情報生成手段とを備える。【選択図】  図１
2005181393.tif 000002
【特許請求の範囲】
【請求項１】
撮像手段と、
前記撮像手段により得られた画像データと前記画像データの撮影場所を示す位置情報とを記録媒体に記録する記録手段と、
前記位置情報に基づいて前記記録媒体に記録された複数の画像データをグループ化し、前記グループ毎に地図画像上の対応する位置に前記画像データを表示するための制御情報を生成する制御情報生成手段とを備える撮像装置。
【請求項２】
前記制御情報生成手段は、前記地図画像上における前記グループの位置を設定するための第一の制御情報と、前記地図画像上において指定された位置の画像データにリンクするための第二の制御情報とを生成することを特徴とする請求項１記載の撮像装置。
【請求項３】
前記位置情報は緯度及び経度の情報を含むことを特徴とする請求項１の撮像装置。
【請求項４】
前記地図画像を表示する表示手段と、前記地図画像上の任意の位置を指定する指定手段と、前記指定手段により指定された位置と前記制御情報とに基づいて前記記録媒体に記録された画像データを再生する制御手段とを備える請求項１記載の撮像装置。
【請求項５】
記録媒体に記録された画像データ及び前記画像データの撮影場所を示す位置情報とを処理する装置であって、
前記位置情報に基づいて前記記録媒体に記録された複数の画像データをグループ化し、前記グループ毎に地図画像上の対応する位置に前記画像データを表示するための制御情報を生成する信号処理装置。
【請求項６】
前記制御情報はデータ記述言語にて記述されていることを特徴とする請求項５記載の信号処理装置。
【請求項７】
前記データ記述言語は、ｈｔｍｌまたはｘｍｌを含むことを特徴とする請求項６記載の信号処理装置。
【発明の詳細な説明】
【技術分野】
【０００１】
本発明は撮像装置に関し、特に撮影時の位置情報に基づいて画像を処理する装置に関する。
【背景技術】
【０００２】
従来、撮影された画像をその撮影場所に応じて分類し、保存する技術が知られており、例えば、特許文献１に記載されている。また、この様に撮影した画像を縮小化しサムネイル画像とし、ＧＰＳ情報から地図上の撮影位置に表示する技術も知られている。
【特許文献１】特開平１０−２５４７４６号公報
【発明の開示】
【発明が解決しようとする課題】
【０００３】
しかし、単に地図上の撮影個所にサムネイルを表示しただけでは、例えば撮影場所が近接している複数の画像のサムネイルを全て表示することができず、見にくくなってしまう。
【０００４】
本発明はこの様な問題を解決し、撮影した画像を効率的に地図上に表示可能とすることを目的とする。
【課題を解決するための手段】
【０００５】
撮像手段と、前記撮像手段により得られた画像データと前記画像データの撮影場所を示す位置情報とを記録媒体に記録する記録手段と、前記位置情報に基づいて前記記録媒体に記録された複数の画像データをグループ化し、前記グループ毎に地図画像上の対応する位置に前記画像データを表示するための制御情報を生成する制御情報生成手段とを備える。
【発明の効果】
【０００６】
本発明はこのように構成したので、地図画像上にグループ毎に画像データを表示可能となる。
【発明を実施するための最良の形態】
【０００７】
図１は本発明を適用する撮像装置の構成を示すブロック図である。
【０００８】
図１において、１０１は撮像部、１０２はＧＰＳ回路、１０３はＣＰＵ、１０４は表示部、１０５はメモリ、１０６は圧縮伸長部、１０７は記録再生部、１０８は各種の操作スイッチを有する操作部、１０９は記録媒体であり、本形態ではディスク状媒体を用いる。
【０００９】
図１を用いて本発明の動作を説明する。
【００１０】
撮影時、撮像部１０１によって撮影した画像データはバス１１０を介し圧縮伸長部１０６に入力される。圧縮伸長部１０６は周知の方法により画像データを符号化してその情報量を圧縮し、バス１１０を介して記録再生部１０７に記録する。
【００１１】
このとき、ＧＰＳ回路１０２は撮影開始時の緯度・経度のデータを示す位置情報を検出し、記録再生部１０７に出力する。記録再生部１０７は、一連の動画像データと撮影開始時におけるＧＰＳ情報とを記録媒体１０９に記録する。
【００１２】
ＣＰＵ１０３は、記録媒体１０９への記録が終了すると、撮影時に得られたＧＰＳ情報に基づき、記録媒体１０９に記録された画像データを複数のグループに分割する。
【００１３】
ここで、グループ化の処理について説明する。
【００１４】
図２は、記録媒体１０９に記録された画像データの撮影場所を相対的に示す図である。本形態では、図２に示した撮影場所の表示画面を任意の単位ブロックに分割する。
【００１５】
図３はブロックに分割した様子を示した図である。そして、この分割したブロック毎に画像データの数をカウントする。
【００１６】
図４はブロック毎のカウント値を示した図である。そして、ＣＰＵ１０３はブロック毎のカウント数に基づいて、グループ分けを行なう。
【００１７】
図５はグループ分けを示した図である。
【００１８】
以上のようにＣＰＵ１０３ではグループ化の処理を行なう。
【００１９】
そして、ＣＰＵ１０３は、この様な地図画像上のグループを指定するためのｈｔｍｌファイルを生成する。即ち、地図画像上の位置に対応したグループ毎に、その地図画像上をクリック等により指定することより、対応するグループの画像データにリンクして再生、表示するようにｈｔｍｌファイル生成する。さらに、グループ毎にサムネイルを表示し、クリックによって撮影画像を表示するためのｈｔｍｌファイルも作成する。
【００２０】
図６において、上は地図画像上のグループ毎にエリアを分けたファイルである。下はグループＡに関してサムネイルを表示し、クリックにより撮影画像を表示するためのファイルである。ＣＰＵ１０３はこのようなファイルを生成する。
【００２１】
本発明は、以上のようにｈｔｍｌファイルを生成し、メモリ１０５に記憶する。
【００２２】
そして、操作部１０８により記録媒体１０９に記録された画像データの地図表示の指示があると、別途メモリに記録された地図画像データと前述のｈｔｍｌファイルとに基づいて、地図画像を生成して表示部１０４に表示する。ＣＰＵ１０３は、ユーザが操作部１０８を操作することによりこの地図画像上の任意の点が指定されると、記録再生部１０７により、その地点を含むグループの画像データを記録媒体１０９から再生し、圧縮伸長部１０６により復号した後表示部１０４に表示する。
【００２３】
なお、本形態ではｈｔｍｌファイルを生成したが、これ以外にも、例えば、ＸＭＬなどの記述言語により同様に地図画像上に撮影位置を表示するための制御情報を作成することも可能である。
【図面の簡単な説明】
【００２４】
【図１】本発明が適用される撮像装置の構成を示す図である。
【図２】撮影場所の様子を示す図である。
【図３】グループ化のためのブロックを示す図である。
【図４】ブロック毎の撮影画像数を示す図である。
【図５】グループの様子を示す図である。
【図６】地図表示のためのｈｔｍｌファイルを示す図である。
【図１】
2005181393.tif 000003
【図２】
2005181393.tif 000004
【図３】
2005181393.tif 000005
【図４】
2005181393.tif 000006
【図５】
2005181393.tif 000007
【図６】
2005181393.tif 000008